(57)【要約】【課題】シャックルに通したボルトにナットを螺着した場合に、ナットが弛むのを防止し、シャックルからボルトが外れないようにする留め具を提供することである。【解決手段】留め具１は、取手部２と、ボルト６の軸部８の先端に直径方向に穿孔された挿入孔９に対して挿入される挿入部３と、ボルト６に螺着されるナット１０を両側から弾性力をもって挟み付ける把持部４とからなる。留め具１がボルト６に装着された際には、挿入部３が挿入孔９に挿入されている一方で、把持部４はナット１０を両側から弾性力をもって挟み付けている。ボルト６に装着された留め具１は、ナット１０が自由に回転するのを防止し、ナット１０をボルト６から外さない。 【選択図】  図２
0003204790.tif 000002
【実用新案登録請求の範囲】
【請求項１】
取手部と、
ボルト軸部の先端に直径方向に穿孔された挿入孔に対して挿入される挿入部と、
ボルトに螺着されるナットを両側から弾性力をもって挟み付ける把持部とからなり、
前記ボルトに装着された際に、前記挿入部が前記挿入孔に挿入されている一方で、前記把持部は前記ナットを両側から弾性力をもって挟み付けていることを特徴とする留め具。
【請求項２】
前記取手部は中空の円形で、前記挿入部は取手部から放射状に延びていることを特徴とする請求項１の留め具。
【考案の詳細な説明】
【技術分野】
【０００１】
本考案は、軸部先端側に挿入孔が設けられたボルトに対して螺着されるナットの留め具に係り、螺着されたナットが回転してボルトから脱落することを防止する留め具に関する。
【背景技術】
【０００２】
建築資材等の吊り下げ対象物を高所につり上げる場合、巻き上げワイヤにシャックルのＵ字部分にワイヤを絡ませ、有頭のボルトによりシャックルと対象物とを連結して吊り下げる。例えば、特許文献１に示すシャックルにおいては、Ｕ字形の両側の先端部に互いに中心が一致する貫通孔が夫々設けられており、有頭のボルトを先端部の貫通孔から挿入し、他方の先端部の貫通孔から出現させてナットにより螺着するものである。有頭のボルトは、軸部全てにねじが切られた全ねじ（フルスレッド）ではなく、先端部から特定の長さだけねじが切られた半ねじ（中ボルト）状である。
【０００３】
シャックルからボルトが脱落することを防止する為に有頭のボルトに対するナットの螺着が行われるが、これは、つり上げの際の一時的なものであり、また高所での取り外しが容易にできるように、大きな締め付け荷重で締結されてはいない。吊り下げの状態によっては、ボルトに対してシャックルが揺動する動きをするため、ナットが弛む。場合によっては、螺着されたナットが回転してボルトから脱落する恐れもあり、吊り下げ対象物の落下の事故に繋がりかねない。そこで、ボルトの軸部の先端に挿入孔を穿設し、これに対して割ピンを挿入して、螺着されたナットがボルトから脱落することを防止することが行われている。割ピンを用いる際には、対になった脚部を拡開するために、工具が必要である。また、工具が不要な、かつ再利用可能なピンとして、例えば特許文献２に示すものがある。
【先行技術文献】
【特許文献】
【０００４】
【特許文献１】特開２００５−２４０９１号公報
【特許文献２】特開２０１３−１０８６１５号公報
【考案の概要】
【考案が解決しようとする課題】
【０００５】
割ピンを用いることにより、ナットの脱落は防止できる。しかし、割ピンをボルトの軸部に挿通する際には、割ピンを変形させるために工具を必要とする。また、特許文献２のピンでは、工具等の必要は無いが、ナットがボルトから弛むことを防止できない。
そこで、本考案は、シャックルに通したボルトにナットを螺着した場合に、ナットが弛むのを防止し、シャックルからボルトが外れないようにする留め具を提供することを目的とする。
【課題を解決するための手段】
【０００６】
上記目的を達成するために、本考案の留め具は、取手部と、
ボルト軸部の先端に直径方向に穿孔された挿入孔に対して挿入される挿入部と、
ボルトに螺着されるナットを両側から弾性力をもって挟み付ける把持部とからなり、
前記ボルトに装着された際に、前記挿入部が前記挿入孔に挿入されている一方で、前記把持部は前記ナットを両側から弾性力をもって挟み付けている。
【考案の効果】
【０００７】
本考案によれば、ボルトの挿入孔に挿入部を挿通し、把持部がナットを把持することで、ボルトに対するナットの回転位置が固定される。このため、ナットが自由に回転することが防止され、シャックルからボルトが外れないようにすることができる。
【図面の簡単な説明】
【０００８】
【図１】本実施例に係る留め具を示す図である。
【図２】留め具の使用状態を示す図である。
【図３】本考案に係る留め具の他の例を示す図である。
【考案を実施するための形態】
【０００９】
以下、本考案に係る留め具の一実施の形態について説明する。
図１は、留め具１を示している。図１Ａは側面、図１Ｂは平面、図１Ｃは斜視した状態を夫々示している。留め具１は、取手部２、挿入部３、把持部４からなる。留め具１は、樹脂による一体成形された、或いは金属により成形されている。取手部２は、親指と人差し指で摘まんで保持しやすいように、中空の円形になっている。
【００１０】
挿入部３は、取手部２の外周から放射状に設けられている。挿入部３は、ボルト６（図２）に設けられた挿入孔９に挿入するためのものである。把持部４の内側面は、平面視において、正六角形Ｈ１（一点鎖線で示した）の一部が欠如した形状を形成している。図１の例では、正六角形Ｈ１の６つの角の内の連続する４つの角ｃ１、ｃ２、ｃ３、ｃ４を覆う形状となっている。把持部４の先端には、内側に突出した突起４１が設けられている。挿入部３は正六角形Ｈ１の面に対して平行であって、側面視において把持部４は、挿入部３の下側に位置する。一方、挿入部３は、平面視において正六角形Ｈ１の中心を通る方向に延びている。そして、取手部２の円形を形成する面は、正六角形Ｈ１に対して垂直であって、正六角形Ｈ１の角ｃ２、ｃ３により挟まれた１辺の中心位置に対応して取手部２が把持部４に対して配置されている。
【００１１】
図２は、留め具１をボルト６に装着する状態を説明する図である。図２Ａにおいて、シャックル５は、Ｕ字形の両側の先端部５ａ、５ｂに互いに中心が一致する貫通孔が夫々設けられている。ボルト６は、頭部７を有する有頭のボルトであって、軸部８に対してねじが切られており、その先端部に挿入孔９が軸部８の直径方向に貫通している。ボルト６は、一方の先端部５ａから挿入され、他方の先端部５ｂの貫通孔から出現させた後、ナット１０により螺着するもの（図２Ｂ）。
【００１２】
図２Ｃにおいて、ボルト６に螺着されたナット１０の外周辺面に把持部４の正六角形Ｈ１（図１）の欠いている部分から留め具１をナット１０に対して押し込む。このとき、挿入部３を挿入孔９に対して挿入する作業も行う。ナット１０は、ボルト６に対して弛く螺着されているので、ナット１０の姿勢を調整することは可能である。把持部４は、ボルト６に嵌めたナット１０の外周辺面を両側から一定の弾性力を持って挟み、挿入部３がボルト６に設けられた挿入孔９から脱落することを防止する。把持部４の先端に設けられた突起４１は、把持部４がナットに嵌まった際に把持部４を撓ませて一定の弾性力を発揮するように作用させる。把持部４がこの弾性力によりナット１０を把持する一方で、挿入部３はボルト６に設けられた挿入孔９に挿入されているので、ナット１０が自由に回転することが防止される。結果として、ボルト６に装着された留め具１は、ナット１０をボルト６から外さない。
【００１３】
一方、挿入部３は、取手部２は中空の円形であるため親指と人差し指で摘まみやすく、また、挿入部３は取手部２から放射状に延びていることにより、留め具１を外す場合は、取手部２を持って、挿入部３を挿入孔９から引き抜くように直線的に引くことにより、把持部４が広がりナット１０の側面を把持部４の突起４１が滑り、ナット１０から外すことができる。
【００１４】
図３は、本実施例に係る他の例の留め具１ａ、１ｂを示す図である。留め具１においては、正六角形Ｈ１の角ｃ２、ｃ３により挟まれた１辺の中心位置に対応して取手部２が把持部４に対して配置されていた。これに対して、図３Ａに示される留め具１ａにおいては、正六角形Ｈ２の角ｃ７が取手部２に位置するように形成されている。把持部４は正六角形Ｈ２の６つ角の内５つの角ｃ５、ｃ６、ｃ７、ｃ８、ｃ９を覆う形状となっている。把持部４の先端に突起４１が設けられているのは、留め具１と同様である。
【００１５】
留め具１においては、把持部４の先端に設けられた突起４１によって、把持部４がナットに嵌まった際に把持部４を撓ませて一定の弾性力を発揮するように作用させていた。一方で、図３Ｂに示される留め具１ｂにおいては、取手部２ａ、２ｂの間に挟まれた弾性体４ｃにより、ナット１０を把持する弾性力を把持部４ａ、４ｂが有するようにしている。具体的には、挿入部３と取手部２ｂと把持部４ｂが一体化され、一方取手部２ａと把持部４ａが一体化され、軸ＡＸを中心として互いが相対的に揺動可能となっている。そして、取手部２ａ、２ｂを離間させるような弾性力を、弾性体４ｃが発揮する。取手部２ａ、２ｂを近づけるよう力を加えると把持部４ａ、４ｂが離間し、力を消失させると把持部４ａ、４ｂが近接する。
【００１６】
上記実施例においては、挿入部３が挿入孔９を貫通するのに十分な長さを有していたが、貫通する必要はなく、挿入孔９に係止できる長さであれば良い。
【符号の説明】
【００１７】
１    留め具
２    取手部
３    挿入部
４    把持部
５    シャックル
６    ボルト
９    挿入孔
１０    ナット
【図１】
0003204790.tif 000003
【図２】
0003204790.tif 000004
【図３】
0003204790.tif 000005